(57)【要約】【課題】スポットクーラー吹出口に形成された開口部全体から冷風を均一に外部へ送風する。【解決手段】スポットクーラー１０は、本体部１４内に備えられた送風機２０と、送風機２０に接続された吹出口１２と、吹出口１２の先端部には送風機２０から送られてくる冷風を外部に排出する開口部１６が備えられている。吹出口１２は、送風機２０の上部に設けられた第１風向調節板３０と、吹出口１２の開口部１６の内側に設けられた第２風向調節板５０とを備えており、両者は互いに直角方向に配設されている。送風機２０から送られてくる冷風６０は、先ず第１風向調節板３０を通過することで、冷風６０が粗方分散される。次に第２風向調節板５０を通過することで、冷風６０がさらに均一に分散されて、開口部１６より任意の部分に向けて外部へ広く送風することができる。【選択図】図２
2010156474.tif 000002
【特許請求の範囲】
【請求項１】
スポットクーラーの本体部に備えられた送風機から送られる冷風を、外部に排出するスポットクーラーの吹出口であって、
前記吹出口は、前記送風機から送られてきた冷風を外部に排出する開口部と、冷風を該開口部の大きさに分散させる風向調節板から構成されていることを特徴とする、スポットクーラーの吹出口。
【請求項２】
請求項１に記載のスポットクーラーの吹出口であって、
前記風向調節板は、前記冷風の流れ方向に対して相対的に上流側に配設された第１風向調節板、及び相対的に下流側に配設された第２風向調節板から構成されていることを特徴とする、スポットクーラーの吹出口。
【請求項３】
請求項２に記載のスポットクーラーの吹出口であって、
前記第１風向調節板は、枠体に複数のプレートが並んで構成されており、該プレートには多数の孔が形成されており、前記送風機より送られてくる冷風を分散させて前記第２風向調節板の方向に送風する構成であることを特徴とする、スポットクーラーの吹出口。
【請求項４】
請求項２または請求項３に記載のスポットクーラーの吹出口であって、
前記第２風向調節板は、多数の孔が形成された一枚の板から形成されており、前記第１風向調節板を通過してきた冷風を、前記開口部の大きさに分散させて外部に送風する構成であることを特徴とする、スポットクーラーの吹出口。
【発明の詳細な説明】
【技術分野】
【０００１】
本発明は、スポットクーラーの本体部に備えられた送風機から送られる冷風を、外部に排出するスポットクーラーの吹出口に関する。
【背景技術】
【０００２】
従来、広い工場内や出入り口付近の開放場所、又は屋外等において、作業環境を快適にするために、作業者や物に対して局所的に冷房することができるスポットクーラーが広く使用されている。スポットクーラーにキャスターを備えているものは作業現場に応じて適宜移動可能であり、特に熱源が近くにある労働環境においては作業者の快適な環境を維持するために好適である。例えば下記に示す特許文献１に従来使用されているスポットクーラーが開示されている。図５に示されるように、従来使用されているスポットクーラー１００は送風機１０６及び円筒状のダクト１０２が接続されており、該ダクト１０２には局所的に冷風を送ることができるように開口部１０４が形成されている。そして送風機１０６から送られてくる冷風はダクトを通じて開口部より外部へ排出される構成となっている。このようにスポットクーラーは任意の場所に局所的に冷風を送ることができるため、広い作業空間においても効率よく冷房することができる。しかも無駄なところに冷風を送らずに済むため経済的にも有効である。
【０００３】
【特許文献１】特開平０７−０３５４０１
【発明の開示】
【発明が解決しようとする課題】
【０００４】
しかしながら、従来のスポットクーラーでは、人体に対して局所的に冷風を送るため、冷風を排出する開口部が狭く形成されており、作業者が部分的に強い冷風に長時間あたり続けると、身体に悪影響を及ぼすことがあった。
【０００５】
人間の身体は５℃以上の温度変化を繰り返し受けると、自律神経が乱れて周囲の温度変化に対応できなくなり、体温調節機能に不具合が生じてしまう。
自律神経には交感神経と副交感神経があり、高温になると、副交感神経が働いて血管を拡張して発汗を促し、汗の蒸発潜熱により身体を冷やそうとする。また、低温になると、交感神経が働いて血管を収縮させて発汗を抑制する。しかし一度温度の低い風に当たると、汗腺が閉じ、一度閉じた汗腺は暑い環境に曝されても、すぐ反応できずしばらく時間がかかってしまう。このため体温調節ができなくなり、自律神経のバランスがうまくいかずに不定愁訴を訴えることがある。
【０００６】
局所的に冷風を送るスポットクーラーを、高温下にある工場内または屋外等で使用する場合、冷風が作業者に対して当たる部分と外気との温度差が大きいと、上記のように身体に悪影響を及ぼすことがある。このような状態では作業者に対して快適な作業空間を提供することができない。
従来使用されていたスポットクーラー１００においては、送風機１０６から排出される冷風が、ダクト１０２を通じて直接スポットクーラーの開口部１０４より外部へ排出されるため、外部へ排出される冷風の風量及び風速が不均一であり、冷風を受ける作業者が不快感を感じることがあった。また、スポットクーラーの開口部を広げると、送風機の冷風排出口がスポットクーラーの開口部より狭いため、スポットクーラーの開口部から排出される冷風が外部へ均一に送風されなかった。
【０００７】
そこで、本発明は、上述した従来の問題点を解決するものとして創案されたものであって、本発明が解決しようとする課題は、スポットクーラーの吹出口に形成された開口部全体から冷風を均一に外部へ送り、作業者の環境を向上させることにある。
【課題を解決するための手段】
【０００８】
本発明は、上記課題を解決するために以下の手段をとる。
第１の発明は、スポットクーラーの本体部に備えられた送風機から送られる冷風を、外部に排出するスポットクーラーの吹出口であって、前記吹出口は、前記送風機から送られてきた冷風を外部に排出する開口部と、冷風を該開口部の大きさに分散させる風向調節板から構成されていることを特徴とする。
【０００９】
この第１の発明によれば、送風機から送られてくる冷風は、風向調節板を通過して分散されるため、吹出口の開口部より外部へ排出される冷風を、外部へ均一に広げて送風することができる。
【００１０】
第２の発明は、上記第１の発明のスポットクーラーの吹出口であって、前記風向調節板は、前記冷風の流れ方向に対して相対的に上流側に配設された第１風向調節板、及び相対的に下流側に配設された第２風向調節板から構成されていることを特徴とする。
【００１１】
この第２の発明によれば、冷風は第１風向調節板及び第２風向調節板を通過するため、吹出口の開口部より外部へ排出される冷風を、外部へ均一に広げて送風することができる。
【００１２】
第３の発明は、上記第２の発明のスポットクーラーの吹出口であって、前記第１風向調節板は、枠体に複数のプレートが並んで構成されており、該プレートには多数の孔が形成されており、前記送風機より送られてくる冷風を分散させて前記第２風向調節板の方向に送風する構成であることを特徴とする。
【００１３】
この第３の発明によれば、第１風向調節板の複数枚のプレートの間及びプレートに形成された孔を冷風が通過するため、冷風を粗方分散させて第２風向調節板へ送風することができる。
【００１４】
第４の発明は、上記第２または上記第３の発明のいずれかのスポットクーラーの吹出口であって、前記第２風向調節板は、多数の孔が形成された一枚の板から形成されており、前記第１風向調節板を通過してきた冷風を、前記開口部の大きさに分散させて外部に送風する構成であることを特徴とする。
【００１５】
この第４の発明によれば、第１風向調節板を通過した冷風がさらに多数の孔が形成された第２風向調節板を通過するため、吹出口の開口部から排出される冷風を、外部へより均一に広げて送風することができる。
【発明の効果】
【００１６】
本発明によれば、上記した手段により次の効果を得る。
第１の発明によれば、吹出口の開口部より外部へ排出される冷風を、外部へ均一に広げて送風することができる。
第２の発明によれば、冷風は第１風向調節板及び第２風向調節板を通過するため、吹出口の開口部より外部へ排出される冷風を、外部へ均一に広げて送風することができる。
第３の発明によれば、第１風向調節板の複数枚のプレートの間及びプレートに形成された孔を冷風が通過するため、冷風を粗方分散させて第２風向調節板へ送風することができる。
第４の発明よれば、第１風向調節板を通過した冷風がさらに多数の孔が形成された第２風向調節板を通過するため、吹出口の開口部から排出される冷風を、外部へより均一に広げて送風することができる。
【発明を実施するための最良の形態】
【００１７】
以下、図面を参照しながら発明を実施するための最良の形態を説明する。
図１は本発明の一実施例のスポットクーラーを示す斜視図である。図２は図１に示すスポットクーラーの吹出口を示す断面図である。図１に示すように、スポットクーラー１０は、本体部１４内に備えられた送風機２０と、送風機２０に接続された吹出口１２と、吹出口１２の先端部に送風機２０から送られてくる冷風を外部に排出する開口部１６が備えられている。また、開口部１６には送風機２０から送られてきた冷風の風向きを調節するルーバー１８が備えられている。ルーバー１８は任意の方向に向けて適宜動かすことができる。
【００１８】
スポットクーラー１０の吹出口１２に形成された開口部１６は、長方形型に形成されており、送風機２０から送られてくる冷風を外部の広い範囲に向けて排出することができる。また、開口部１６はルーバー１８を備えており、冷風の風向きを自由にかえることができる。送風機２０から送風されてくる冷風６０は、ルーバー１８間に形成された隙間を通過して任意の方向に送風することができる構成となっている。
【００１９】
また、図２に示すように、吹出口１２は、送風機２０の上部に設けられた第１風向調節板３０と、開口部１６の内側に設けられた第２風向調節板５０とを備えており、両者は互いに直角方向に配設されている。すなわち、冷風６０の流れ方向に対して、第１風向調節板３０は相対的に上流側に配設され、第２風向調節板５０は相対的に下流側に配設された構成とされている。
送風機２０から送られてくる冷風６０は、先ず第１風向調節板３０を通過することで、冷風６０が粗方分散される。次に第２風向調節板５０を通過することによって、冷風６０がさらに均一に分散されて、開口部１６より広がって外部へ排出される。したがって、送風機２０から送られてくる冷風６０は、第１風向調節板３０及び第２風向調節板５０を通過することで均一に分散され、開口部１６から任意の部分に向けて広く送風できる。
【００２０】
図３は、第１風向調節板３０を示す平面図である。第１風向調節板３０は枠体３２に複数のプレート３４が備えられており、プレート３４には多数の円形状の孔３６が均等に形成されている。また、プレート３４はボルト３８で枠体３２に固定されている。第１風向調節板３０の下方部から送風機２０によって送られてくる冷風６０は、プレート３４に形成された孔３６及び、プレート３４の間に形成された隙間４０を通過して開口部１６へと送風される。
【００２１】
プレート３４に形成されている円形状の孔３６の第１風向調節板に対する開孔率は、２０％〜５０％の範囲であることが好ましい。開孔率が２０％より低いと送風機２０より送られてくる冷風６０が十分に通過することができず、また、５０％を超えると風量及び風速を制御することが難しい。より好ましくは３０％〜４０％の範囲である。
プレート３４の間に形成される隙間４０は幅１ｃｍ〜４ｃｍの範囲、より好ましくは２ｃｍ〜３ｃｍの範囲で形成されていることが好ましい。プレート３４の間に形成される隙間４０が幅１ｃｍより狭いと送風機２０より送られてくる冷風が十分に通過することができず、また、４ｃｍを超えると風量及び風速を制御することが難しい。
また、孔３６の直径は、冷風６０を分散させるために１ｍｍ〜１０ｍｍの範囲、より好ましくは２ｍｍ〜４ｍｍの範囲で形成されていることが好ましい。また、孔３６同士の間隔は、１ｍｍ〜１０ｍｍの範囲、より好ましくは３ｍｍ〜５ｍｍの範囲で等間隔に形成されていることが好ましい。
【００２２】
図４は、第２風向調節板５０を示す平面図である。第２風向調節板５０は吹出口１６の内側に設けられており、第１風向調節板３０を通過した冷風６０がさらに通過する構成となっている。第２風向調節板５０は、多数の円形状の孔５２を有しており、第１風向調節板３０を通過してきた冷風６０が、さらに第２風向調節板に均等に形成された孔５２を通過することで、冷風６０をさらに分散させて開口部１６へと送ることができる。
【００２３】
第２風向調節板５０に形成された孔５２の第２風向調節板に対する開効率は、２０％〜６０％の範囲であることが好ましい。開孔率が２０％より低いと、第１風向調節板３０を通過してきた冷風６０が、十分に分散して通過することができず、また、６０％を超えると風量及び風速を制御することが難しい。より好ましくは３５％〜４５％の範囲である。
また、孔５２の直径は、冷風６０を均一に分散させるために１ｍｍ〜１０ｍｍの範囲、より好ましくは３ｍｍ〜５ｍｍの範囲で形成されていることが好ましい。
また、孔５２同士の間隔は、１ｍｍ〜１０ｍｍの範囲、より好ましくは４ｍｍ〜６ｍｍの範囲で等間隔に形成されていることが好ましい。
【００２４】
上記構成からなる実施例のスポットクーラー１０によれば、送風機２０から送風されてきた冷風６０は、先ず、第１風向調節板３０のプレート３４に形成された孔３６及び隙間４０を通過して粗方分散される。次に第２風向調節板５０に形成された孔５２をさらに通過することによって、より均一に分散される。その後、冷風６０は、吹出口１２に備えられた開口部１６から、風量及び風速とも均一に広がって外部へと送られていく。
従来使用されていたスポットクーラー１００においては、送風機１０６から排出される冷風が、ダクト１０２を通じて直接スポットクーラーの開口部１０４より外部へ排出されるため、外部へ排出される冷風の風量及び風速が不均一であり、冷風を受ける作業者が不快感を感じることがあった。また、スポットクーラーの開口部を広げると、送風機の冷風排出口がスポットクーラーの開口部より狭いため、スポットクーラーの開口部から排出される冷風が外部へ均一に送風されなかった。
しかし、上記実施例によれば、送風機２０から送られてくる冷風６０は、第１風向調節板３０及び第２風向調節板５０を通過することで、風量及び風速が均一となり、吹出口１２に備えられた開口部１６から、外部の任意の部分に向けて均一に広がって送風できるようになった。
【００２５】
なお、本発明は上記実施形態に限定されず、本発明の要旨を逸脱しない範囲でその他種々の実施形態が考えられる。
例えば、第１風向調節板と第２風向調節板はそれぞれ複数枚設けられていてもよい。風向調節板を複数枚備えることで、送風機２０から送られてくる冷風６０をより均一に分散して外部へ排出することができる。また、第１風速調節板と第２風速調節板は必ずしも直角に設けられていなくてもよく、送風機２０から送られてくる冷風６０の通過経路に備えることで、冷風６０を均一に分散して外部へ排出することができる。また、吹出口１２は１つに限られず２つ以上設置されていてもよい。また、開口部１６の形状は長方形型に限られず、円形等他の形状でもよい。また、第１風向調節板及び第２風向調節板に形成された孔は、円形状に限られず、多角形状でもよい。
【図面の簡単な説明】
【００２６】
【図１】本発明の一実施例のスポットクーラーを示す斜視図である。
【図２】図１に示すスポットクーラーの吹出口を示す断面図である。
【図３】図２に示す第１風向調節板を示す平面図である。
【図４】図２に示す第２風向調節板を示す平面図である。
【図５】従来のスポットクーラーを示す斜視図である。
【符号の説明】
【００２７】
１０    スポットクーラー
１２    吹出口
１４    本体部
１６    開口部
１８    ルーバー
２０    送風機
３０    第１風向調節板
３２    枠体
３４    プレート
３６    孔
３８    ボルト
４０    隙間
５０    第２風向調節板
５２    孔
６０    冷風
【図１】
2010156474.tif 000003
【図２】
2010156474.tif 000004
【図３】
2010156474.tif 000005
【図４】
2010156474.tif 000006
【図５】
2010156474.tif 000007